(57)【要約】【課題】非接触ＩＣカードで商品を購入できる自動販売機であって、自動販売機の前面パネルの機器配置が混み合わない自動販売機を提供する。【解決手段】商品選択釦と、金銭表示ユニットと、商品搬出装置と、前記諸装置の作動を制御する主制御装置とを備え、ＩＣカードとの通信とＩＣカードへの電力供給とを行うための制御基板と当該制御基板により駆動される通信アンテナとが金銭表示ユニットに組み込まれている。【選択図】  図１
2004362085.tif 000002
【特許請求の範囲】
【請求項１】
商品選択釦と、金銭表示ユニットと、商品搬出装置と、前記諸装置の作動を制御する主制御装置とを備え、ＩＣカードとの通信とＩＣカードへの電力供給とを行うための制御基板と当該制御基板により駆動される通信アンテナとが金銭表示ユニットに組み込まれていることを特徴とする自動販売機。
【請求項２】
ＩＣカードへの電力供給とを行うための制御基板が金銭表示ユニットの制御基板と一体化されていることを特徴とする請求項１に記載の自動販売機。
【請求項３】
通信アンテナが金銭表示ユニットの制御基板と一体化されていることを特徴とする請求項１に記載の自動販売機。
【請求項４】
ＩＣカードとの通信とＩＣカードへの電力供給とを行うための制御基板と当該制御基板により駆動される通信アンテナとが一体化されていることを特徴とする請求項１に記載の自動販売機。
【請求項５】
ＩＣカードとの通信とＩＣカードへの電力供給とを行うための制御基板と当該制御基板により駆動される通信アンテナとが、金銭表示ユニットの制御基板と一体化されていることを特徴とする請求項１に記載の自動販売機。
【発明の詳細な説明】
【０００１】
【発明の属する技術分野】
本発明は、現金に加えて非接触ＩＣカードでも商品を購入できる自動販売機に関するものである。
【０００２】
【従来の技術】
現金に加えて非接触ＩＣカードでも商品を購入できる自動販売機が特許献１に開示されている。
【０００３】
【特許文献１】特開２００１−１６７３３１
【０００４】
【発明が解決しようとする課題】
特許文献１の自動販売機においては、ＩＣカードとの通信とＩＣカードへの電力供給とを行うための制御基板と当該制御基板により駆動される通信アンテナとＩＣカードによる商品販売時の減算金額及び残高を表示する表示器とから構成されるカードユニットが、現金購入時に投入金額を表示する金銭表示ユニットとは別個に配設されているので、自動販売機の前面パネルの機器配置が混み合って窮屈になるという問題がある。
本発明は上記問題に鑑みてなされたものであり、非接触ＩＣカードで商品を購入できる自動販売機であって、自動販売機の前面パネルの機器配置が混み合わない自動販売機を提供することを目的とする。
【０００５】
【課題を解決するための手段】
上記課題を解決するために、本発明においては、商品選択釦と、金銭表示ユニットと、商品搬出装置と、前記諸装置の作動を制御する主制御装置とを備え、ＩＣカードとの通信とＩＣカードへの電力供給とを行うための制御基板と当該制御基板により駆動される通信アンテナとが金銭表示ユニットに組み込まれていることを特徴とする自動販売機を提供する。
本発明に係る自動販売機においては、ＩＣカードとの通信とＩＣカードへの電力供給とを行うための制御基板と当該制御基板により駆動される通信アンテナとが金銭表示ユニットに組み込まれているので、自動販売機の前面パネルの機器配置は混み合わない。ＩＣカードによる商品販売時の減算金額及び残高は、金銭表示ユニットの表示器に表示すれば良い。ＩＣカードとの通信とＩＣカードへの電力供給とを行うための制御基板と当該制御基板により駆動される通信アンテナとＩＣカードによる商品販売時の減算金額及び残高を表示する表示器とから構成されるＩＣカードユニットを金銭表示ユニットとは別個に配設する場合に比べて、部品点数が減少し、自動販売機の製造コストが削減される。
【０００６】
本発明の好ましい態様においては、ＩＣカードへの電力供給とを行うための制御基板が金銭表示ユニットの制御基板と一体化されている。
本発明の好ましい態様においては、通信アンテナが金銭表示ユニットの制御基板と一体化されている。
本発明の好ましい態様においては、ＩＣカードとの通信とＩＣカードへの電力供給とを行うための制御基板と当該制御基板により駆動される通信アンテナとが一体化されている。
本発明の好ましい態様においては、ＩＣカードとの通信とＩＣカードへの電力供給とを行うための制御基板と当該制御基板により駆動される通信アンテナとが、金銭表示ユニットの制御基板と一体化されている。
ＩＣカードとの通信とＩＣカードへの電力供給とを行うための制御基板を金銭表示ユニットの制御基板と一体化し、或いは通信アンテナを金銭表示ユニットの制御基板と一体化し、或いはＩＣカードとの通信とＩＣカードへの電力供給とを行うための制御基板と当該制御基板により駆動される通信アンテナとを一体化し、或いはＩＣカードとの通信とＩＣカードへの電力供給とを行うための制御基板と当該制御基板により駆動される通信アンテナとを金銭表示ユニットの制御基板と一体化することにより、ＩＣカードとの通信とＩＣカードへの電力供給とを行うための制御基板と当該制御基板により駆動される通信アンテナとが組み込まれた金銭表示ユニットが小型化され、自動販売機の前面パネルの機器配置にゆとりが生じ、自動販売機の美感が増して顧客吸引力が向上する。
【０００７】
【発明の実施の形態】
本発明の実施例に係る自動販売機が備える金銭表示ユニットを説明する。
本実施例に係る金銭表示ユニットは図示しない自動販売機の前面パネルに取り付けられており、図１に示すように、四角断面有底筒状のカバー裏１と、ＩＣカードとの通信とＩＣカードへの電力供給とを行うための制御基板２と、表示器３ａを有する金銭表示ユニットの制御基板３と、ＩＣカード用の通信アンテナ４と、制御基板２、３、通信アンテナ４をカバー裏１内に安定して収納するための中板５と、化粧パネル６と、カバー裏１の前面を覆う透明カバー７とを備えている。通信アンテナ４と透明カバー７との間には、通信を阻害する機器類は配設されていない。
【０００８】
非接触ＩＣカードを使用して商品を購入する際には、非接触ＩＣカードを透明カバー７の通信アンテナ４に対峙する部位にかざして決済を行う。商品購入時の減算金額及びカード残高は、表示器３ａに表示される。現金で商品を購入する際には、投入金額が表示器３ａに表示される。
本実施例に係る自動販売機においては、ＩＣカードとの通信とＩＣカードへの電力供給とを行うための制御基板２と当該制御基板により駆動される通信アンテナ４とが金銭表示ユニットに組み込まれているので、自動販売機の前面パネルの機器配置は混み合わない。ＩＣカードによる商品販売時の減算金額及び残高は、金銭表示ユニットの表示器３ａに表示されるので、ＩＣカードをかざす部位と商品販売時の減算金額及び残高が表示される部位とが接近し、自動販売機の使い勝手が向上する。
【０００９】
制御基板２と制御基板３とを一体化し、或いは通信アンテナ４と制御基板３とを一体化し、或いは制御基板２と通信アンテナ４とを一体化し、或いは制御基板２と制御基板３と通信アンテナ４とを一体化しても良い。ＩＣカードとの通信とＩＣカードへの電力供給とを行うための制御基板２と当該制御基板により駆動される通信アンテナ４とが組み込まれた金銭表示ユニットが小型化され、自動販売機の前面パネルの機器配置にゆとりが生じ、自動販売機の美感が増して顧客吸引力が向上する。
【００１０】
【発明の効果】
本発明に係る自動販売機においては、ＩＣカードとの通信とＩＣカードへの電力供給とを行うための制御基板と当該制御基板により駆動される通信アンテナとが金銭表示ユニットに組み込まれているので、自動販売機の前面パネルの機器配置は混み合わない。ＩＣカードによる商品販売時の減算金額及び残高は、金銭表示ユニットの表示器に表示すれば良い。ＩＣカードとの通信とＩＣカードへの電力供給とを行うための制御基板と当該制御基板により駆動される通信アンテナとＩＣカードによる商品販売時の減算金額及び残高を表示する表示器とから構成されるＩＣカードユニットを金銭表示ユニットとは別個に配設する場合に比べて、部品点数が減少し、自動販売機の製造コストが削減される。
【図面の簡単な説明】
【図１】本発明の実施例に係る自動販売機が備える金銭表示ユニットの分解斜視図である。
【符号の説明】
１  カバー裏
２、３  制御基板
３ａ  表示器
４  通信アンテナ
５  中板
６  化粧パネル
７  透明カバー
【図１】
2004362085.tif 000003